【手続補正書】
【提出日】平成19年1月11日(2007.1.11)
【手続補正１】
【補正対象書類名】特許請求の範囲
【補正対象項目名】全文
【補正方法】変更
【補正の内容】
【特許請求の範囲】
【請求項１】
複数の単位映像を用いて一つの映像を再生する際に用いる複数の表示装置のそれぞれに、前記単位映像に応じた映像データを出力するマルチ画面映像再生システムであって、
ネットワークに接続可能なタイミングサーバと、
前記ネットワークに接続可能な複数の描画ユニットと、
前記単位映像に応じた映像データを記憶する映像データ記憶装置とを備え、
前記タイミングサーバは、前記複数の単位映像の同期再生を指示するタイミング情報を前記映像データのフレームレートに基づいて生成するタイミング情報生成部と、前記タイミング情報生成部によって生成された前記タイミング情報を前記複数の描画ユニットに対して一斉同報通信により配信する送信部と、を有し、
前記複数の描画ユニットのそれぞれは、前記送信部により配信された前記タイミング情報を受信する受信部と、前記映像データ記憶装置に記憶された前記単位映像に応じた映像データをフレームバッファに展開した映像データを、前記受信部で受信された前記タイミング情報に基づいて、各前記表示装置に出力する出力部と、を有することを特徴とするマルチ画面映像再生システム。
【請求項２】
請求項１に記載のマルチ画面映像再生システムにおいて、
前記タイミングサーバは、前記映像データ記憶装置に記憶された前記単位映像に応じた映像データに係るフレーム情報である読込フレーム情報を生成する読込フレーム情報生成部を有し、前記タイミングサーバにおける前記送信部は、前記読込フレーム情報を前記複数の描画ユニットに対して一斉同報通信により配信し、
前記描画ユニットにおける受信部は、前記送信部により配信された前記読込フレーム情報を受信し、前記描画ユニットは、前記受信部が受信した前記読込フレーム情報に基づいて、前記映像データ記憶装置から前記単位映像に応じた映像データを読み込んでフレームバッファに展開する映像データ読込部を有することを特徴とするマルチ画面映像再生システム。
【請求項３】
請求項２に記載のマルチ画面映像再生装置において、
前記タイミングサーバは、前記読込フレーム情報を、前記タイミング情報を配信するタイミングとは別のタイミングで配信することを特徴とするマルチ画面映像再生システム。
【請求項４】
請求項２に記載のマルチ画面映像再生システムにおいて、
前記タイミングサーバは、前記読込フレーム情報を、前記タイミング情報と同時に配信することを特徴とするマルチ画面映像再生システム。
【請求項５】
請求項１に記載のマルチ画面映像再生システムにおいて、
前記タイミングサーバは、映像再生を開始する再生開始情報を生成する再生開始情報生成部を有し、前記タイミングサーバにおける前記送信部は、前記再生開始情報を前記複数の描画ユニットに対して一斉同報通信により配信し、
前記描画ユニットにおける受信部は、前記送信部により配信された前記再生開始情報を受信し、前記描画ユニットは、前記受信部で受信された前記再生開始情報に基づいて、前記映像データ記憶装置から映像データを読み込んでフレームバッファに展開する読込・展開動作を開始する映像データ読込部を有することを特徴とするマルチ画面映像再生システム。
【請求項６】
請求項５に記載のマルチ画面映像再生システムにおいて、
前記描画ユニットは、前記再生開始情報に基づいて、前記映像データ記憶装置から映像データを読み込んでフレームバッファに展開する読込・展開動作を開始した後、前記タイミング情報に基づいて、前記映像データ記憶装置から映像データを読み込んでフレームバッファに展開する読込・展開動作を行なうことを特徴とするマルチ画面映像再生システム。
【請求項７】
請求項５に記載のマルチ画面映像再生システムにおいて、
前記描画ユニットは、前記タイミング情報に同期する第２のタイミング情報を生成する第２のタイミング情報生成部をさらに有し、
前記描画ユニットは、前記再生開始情報に基づいて、前記映像データ記憶装置から映像データを読み込んでフレームバッファに展開する読込・展開動作を開始した後、前記第２のタイミング情報に基づいて、前記映像データ記憶装置から映像データを読み込んでフレームバッファに展開する読込・展開動作を行なうことを特徴とするマルチ画面映像再生システム。
【請求項８】
請求項１〜７のいずれかに記載のマルチ画面映像再生システムにおいて、
前記映像データ記憶装置は複数であり、前記複数の描画ユニットのそれぞれに対して設けられていることを特徴とするマルチ画面映像再生システム。
【請求項９】
請求項１〜７のいずれかに記載のマルチ画面映像再生システムにおいて、
前記映像データ記憶装置は一つであり、前記複数の描画ユニットのすべてに接続されていることを特徴とするマルチ画面映像再生システム。
【請求項１０】
請求項１〜７のいずれかに記載のマルチ画面映像再生システムにおいて、
前記映像データ記憶装置は複数であり、前記複数の映像データ記憶装置のうちの少なくともいずれか一つは、前記複数の描画ユニットのうちの複数の描画ユニットに接続されていることを特徴とするマルチ画面映像再生システム。
【請求項１１】
請求項１〜７のいずれかに記載のマルチ画面映像再生システムにおいて、
前記映像データ記憶装置は、前記ネットワークに接続されていることを特徴とするマルチ画面映像再生システム。
【請求項１２】
請求項１〜１１のいずれかに記載のマルチ画面映像再生システムにおいて、
前記一斉同報通信が、ブロードキャスト通信であることを特徴とするマルチ画面映像再生システム。
【請求項１３】
請求項１〜１１のいずれかに記載のマルチ画面映像再生システムにおいて、
前記一斉同報通信が、マルチキャスト通信であることを特徴とするマルチ画面映像再生システム。
【請求項１４】
請求項１〜１３のいずれかに記載のマルチ画面映像再生システムにおいて、
前記ネットワークが、ローカルエリアネットワークであることを特徴とするマルチ画面映像再生システム。
【請求項１５】
請求項１〜１４のいずれかに記載のマルチ画面映像再生システムにおいて、
前記ネットワークに用いる通信プロトコルが、ＴＣＰ／ＩＰであることを特徴とするマルチ画面映像再生システム。
【請求項１６】
請求項１〜１５のいずれかに記載のマルチ画面映像再生システムにおいて、
前記フレームバッファは、複数で構成されてなることを特徴とするマルチ画面映像再生システム。
【請求項１７】
請求項１６に記載のマルチ画面映像再生システムにおいて、
前記フレームバッファは、ダブルバッファリングを構成する互いに相補の関係にある２つのフレームバッファで構成されてなることを特徴とするマルチ画面映像再生システム。
【請求項１８】
複数の表示装置が表示する複数の単位映像により大画面映像を再生するマルチ画面ディスプレイにおける前記複数の表示装置のそれぞれに映像データを出力するためのマルチ画面映像再生システムであって、
ネットワークと、
前記ネットワークに接続されたタイミングサーバと、
前記ネットワークに接続された複数の描画ユニットと、
再生すべき映像データを記憶する映像データ記憶装置とを備え、
前記タイミングサーバは、前記複数の表示装置が表示する複数の単位映像の同期再生を指示するタイミング情報を前記映像データのフレームレートに基づいて生成するタイミング情報生成部と、前記タイミング情報生成部によって生成された前記タイミング情報を前記複数の描画ユニットに対して一斉同報通信により配信する送信部とを有し、
前記複数の描画ユニットのそれぞれは、前記送信部により配信された前記タイミング情報を受信する受信部と、前記映像データ記憶装置に記憶された前記単位映像に応じた映像データをフレームバッファに展開した映像データを、前記受信部で受信された前記タイミング情報に基づいて、各表示装置に出力する出力部とを有することを特徴とするマルチ画面映像再生システム。
【請求項１９】
複数の単位映像により一つの映像を再生する際に用いる複数の表示装置のそれぞれに前記単位映像に応じた映像データを出力するマルチ画面映像再生システムにおける映像再生方法であって、
前記マルチ画面映像再生システムは、
ネットワークに接続可能なタイミングサーバと、前記ネットワークに接続可能な複数の描画ユニットと、前記単位映像に応じた映像データを記憶する映像データ記憶装置とを備えてなり、
前記タイミングサーバが、前記複数の単位映像の同期再生を指示する情報であるタイミング情報を前記映像データのフレームレートに基づいて生成するステップと、前記生成された前記タイミング情報を前記複数の描画ユニットに対して一斉同報通信により配信するステップと、
前記複数の描画ユニットが、前記タイミングサーバから配信された前記タイミング情報に基づいて、前記映像データ記憶装置に記憶された前記単位映像に応じた映像データをフレームバッファに展開した映像データを、各表示装置に出力するステップとを有することを特徴とするマルチ画面映像再生装置における映像再生方法。